(57)【特許請求の範囲】
【請求項１】
遊技球を普通領域と特定領域に案内する振分装置を備える遊技機であって、
遊技球を受け入れる振分装置には、垂直方向に誘導路５２を形成すると共に、その誘導路５２の上から下に向けて、順次、阻止体６０、判定検出器４９、第１誘導体７０及び第２誘導体８０を配設し、
前記阻止体６０は、阻止体６０に設けられた開口６３を流下する遊技球を、判定検出器４９で検出可能な第１状態、又は、遊技球が前記開口６３を流下せず判定検出器４９で検出不可能な第２状態に変更可能であり、
前記第１誘導体７０は、前記判定検出器４９で検出した遊技球を、第１誘導体７０に設けられた開口７３を流下可能な第１状態と、受体７４に載置し排出口７９に案内可能な第２状態に変更可能であり、
前記第２誘導体８０は、前記第１誘導体７０の開口７３から流下する遊技球を保持し、前記第１誘導体７０の第２状態への変更によって特定領域５３ｂに導く第１状態、又は、保持しなくて普通領域５３ａに案内する第２状態に変更可能であることを特徴とする遊技機。
【請求項２】
誘導路５２に出没自在の開口６３と受体６４を備える阻止体６０、誘導路５２に出没自在の開口７３と受体７４を備える第１誘導体７０、及び、誘導路５２に出没自在の受体８４を備える第２誘導体８０における第１状態と第２状態の変更は、各々スライドによって可能であることを特徴とする請求項１の遊技機。
【請求項３】
阻止体６０と第１誘導体７０と第２誘導体８０が第１状態であり、遊技球が判定検出器４９で検出されたことによる抽選結果が当たりのときには、第２誘導体８０を第１状態に維持すると共に第１誘導体７０を第２状態にすることによって遊技球を特定領域５３ｂに案内可能であり、
外れのときには第１誘導体７０を第１状態で維持すると共に第２誘導体８０を第２状態にすることによって遊技球を普通領域５３ａに案内可能であることを特徴とする請求項１又は請求項２の遊技機。
【請求項４】
阻止体６０と第１誘導体７０と第２誘導体８０が第１状態であり、遊技球Ｙａが阻止体６０の開口６３を流下して判定検出器４９で遊技球Ｙａを検出した後に、前記阻止体６０を第２状態にすることによって、次の遊技球Ｙｂを排出口６９から排出可能であることを特徴とする請求項１又は請求項２の遊技機。
【請求項５】
阻止体６０と第１誘導体７０と第２誘導体８０が第１状態であり、阻止体６０に設けられた開口６３を連続して流下する遊技球Ｙａ、Ｙｂは判定検出器４９を流下して第２誘導体８０で受け止められ、
前記最初の遊技球Ｙａが前記判定検出器４９で検出されることに基づく抽選結果が当たりであると、第１誘導体７０を第２状態に変更することで、前記最初の遊技球Ｙａは第１誘導体７０の下部に形成の特定領域５３ｂに案内され、次の遊技球Ｙｂは第１誘導体７０の受体７４に載置して排出口７９から排出されることを特徴とする請求項１又は請求項２の遊技機。
【請求項６】
阻止体６０と第１誘導体７０と第２誘導体８０が第１状態であり、阻止体６０に設けられた開口６３を連続して流下する遊技球Ｙａ、Ｙｂは判定検出器４９を流下し第２誘導体８０で受け止められ、
最初の遊技球Ｙａが前記判定検出器４９で検出されることに基づく抽選結果が外れであると、第２誘導体８０を第２状態に変更することで、前記連続する遊技球Ｙａ、Ｙｂは第１誘導体７０の下部に形成の普通領域５３ａに案内されることを特徴とする請求項１又は請求項２の遊技機。
【発明の詳細な説明】
【０００１】
【発明の属する技術分野】
本発明は、特定領域に入賞すると、遊技者に有利となる権利が発生し、その権利中に、特定領域に入賞すると権利が消滅する遊技機に関する。
【０００２】
【従来の技術】
従来、遊技機の形式として第３種のパチンコ機があり、このパチンコ機には、遊技領域に入賞装置と図柄表示器と遊技球が通過可能な作動口（検出器を付設）を備えている。
そして、作動口を通過する遊技球が検出器で検出されると、入賞装置に入賞し易い状態になり、入賞した遊技球のうち一部が判定検出器で検出され、その遊技球は振分装置で受け止められて、図柄表示器を介して図柄表示ゲームが行われる。この図柄表示ゲームは、抽選手段で当たりと外れの判定を行うと共に、前記図柄表示器の図柄を変動し、当たりのときには当たり図柄を、外れのときには外れ図柄を停止表示する。
【０００３】
そして、前記受け止められた遊技球は、振分装置を介して、判定結果に基づいて、外れのときには普通領域に案内され、当たりのときには特定領域に案内されて権利が発生する。
この振分装置として、特開平６−６３２２４号公報には、球受部の両側に、押出し部を付設の第１のゲート片と第２のゲート片を電磁ソレノイドで往復動可能に設けてある機構が開示してある。そして、当たりであるときには、第２のゲート片を作動して特定通路に案内し、外れのときには普通領域に案内する。
しかし、遊技球が特定領域に入賞して、遊技者に有利な権利が発生し、その権利中に、入賞装置に入賞した遊技球が判定検出器で検出され、抽選した結果、再度、振分装置を介して、特定領域に入賞すると、せっかく獲得した権利が消滅する。
そのため、この第３種のパチンコ機は、遊技者に、権利中における多量の賞品球を獲得する状態を楽しませると共に、特定領域に遊技球を入賞させないようにしなければならないという、興味を持たせている。
【０００４】
【発明が解決しようとする課題】
前記第３種のパチンコ機は、当たりとなるまでは、特定領域に入賞するように遊技球を打球するが、権利が発生した後においても、残っている遊技球（入賞球）に対しても判定され、その結果、当たりになると、再度、特定領域に入賞することになって権利が消滅することになる。
又、次の入賞球が判定検出器によって検出されるときに、振分装置が作動後に残留球があると、その残留球によって、正常な入賞球に対して、判定検出器での検出が妨げられる恐れがある。
そこで、これらの形式の遊技機において、遊技者に不利となる事態を解消することが望まれているので、本発明は新たな形式の遊技機を提供するものである。
【０００５】
【課題を解決するための手段】
請求項１の遊技機は、遊技球を普通領域５３ａと特定領域５３ｂに案内する振分装置を備え、遊技球を受け入れる振分装置には、垂直方向に誘導路５２を形成すると共に、その誘導路５２の上から下に向けて、順次、阻止体６０、判定検出器４９、第１誘導体７０及び第２誘導体８０が配設してある。
前記阻止体６０は、阻止体６０に設けられた開口６３を流下する遊技球を、判定検出器４９で検出可能な第１状態、又は、遊技球が前記開口６３を流下せず判定検出器４９で検出不可能な第２状態に変更可能である。又、前記第１誘導体７０は、前記判定検出器４９で検出した遊技球を、第１誘導体７０に設けられた開口７３を流下可能な第１状態と受体７４に載置し排出口７９に案内可能な第２状態に変更可能である。又、前記第２誘導体８０は、前記第１誘導体７０の開口７３から流下する遊技球を保持し、前記第１誘導体７０の第２状態への変更によって特定領域５３ｂに導く第１状態、又は、保持しなくて普通領域５３ａに案内する第２状態に変更可能である。そのため、阻止体６０、第１誘導体７０、第２誘導体８０を第１状態又は第２状態にすることによって、遊技球を特定領域５３ｂ又は普通領域５３ａに案内することができる。
又、請求項２の遊技機は、誘導路５２に出没自在の開口６３と受体６４を備える阻止体６０、誘導路５２に出没自在の開口７３と受体７４を備える第１誘導体７０、及び、誘導路５２に出没自在の受体８４を備える第２誘導体８０における第１状態と第２状態の変更は、各々スライドによって可能であるので、簡便に変更できる。
請求項３の遊技機は、阻止体６０と第１誘導体７０と第２誘導体８０が第１状態であり、遊技球が判定検出器４９で検出されたことによる抽選結果が当たりのときには、第２誘導体８０を第１状態に維持すると共に第１誘導体７０を第２状態にすることによって遊技球を特定領域５３ｂに案内可能である。一方、外れのときには第１誘導体７０を第１状態で維持すると共に第２誘導体８０を第２状態にすることによって遊技球を普通領域５３ａに案内可能である。
請求項４の遊技機は、阻止体６０と第１誘導体７０と第２誘導体８０が第１状態であり、遊技球Ｙａが阻止体６０の開口６３を流下して判定検出器４９で遊技球Ｙａを検出した後に、前記阻止体６０を第２状態にすることによって、次の遊技球Ｙｂを排出口６９から排出可能である。そのため、遊技球Ｙｂは判定検出器４９で検出されないので、当たりを連続して生起することを防止できる。
請求項５の遊技機は、阻止体６０と第１誘導体７０と第２誘導体８０が第１状態であり、阻止体６０に設けられた開口６３を連続して流下する遊技球Ｙａ、Ｙｂは判定検出器４９を流下して第２誘導体８０で受け止められる。そして、前記最初の遊技球Ｙａが前記判定検出器４９で検出されることに基づく抽選結果が当たりであると、第１誘導体７０を第２状態に変更することで、前記最初の遊技球Ｙａは第１誘導体７０の下部に形成の特定領域５３ｂに案内され、次の遊技球Ｙｂは第１誘導体７０の受体７４に載置して排出口７９から排出されるので、連続する遊技球Ｙａ、Ｙｂに対して、当たりを連続して生起することを防止できる。  請求項６の遊技機は、阻止体６０と第１誘導体７０と第２誘導体８０が第１状態であり、阻止体６０に設けられた開口６３を連続して流下する遊技球Ｙａ、Ｙｂは判定検出器４９を流下し第２誘導体８０で受け止められる。そして、最初の遊技球Ｙａが前記判定検出器４９で検出されることに基づく抽選結果が外れであると、第２誘導体８０を第２状態に変更することで、前記連続する遊技球Ｙａ、Ｙｂは第１誘導体７０の下部に形成の普通領域５３ａに案内されるので、連続する遊技球Ｙａ、Ｙｂを円滑に普通領域５３ａに案内できる。
【０００６】
【発明の実施の形態】
本発明の実施の形態をよく知られた構成の遊技機としてパチンコ機を取り上げて説明する。図１は遊技機の正面図、図２（Ａ）は入賞装置２０の正面図（尚、振分装置５０は正面カバーを取り外した図）、図２（Ｂ）はＡ〜Ａ断面図、図３（Ａ）（Ｂ）は開閉爪２１の正面図と側断面図、図４（Ａ）（Ｂ）は振分回転体３０の正面図と側断面図、図５は振分装置５０の斜視図、図６（Ａ）（Ｂ）（Ｃ）は振分装置５０の構成部品図である。
【０００７】
遊技機の遊技領域１０のほぼ中央には、後記で詳述する入賞装置２０が遊技盤８に穿設された孔に固定してあり、その入賞装置２０の左下部には作動口７が配置してある。そして、前記入賞装置２０には、一対の開閉爪２１、振分回転体３０、振分装置５０を備えている。
【０００８】
又、入賞装置２０の上部には、「当たり図柄」と「外れ図柄」を表示する図柄表示器（２個の７セグメント表示器）１１が設置してあり、入賞装置２０の右部には、始動口（図示略）に入賞可能な球受け部９５ａを形成の入賞回転体９５が配置してあり、その下部には開閉扉９０ａを有する大入賞口９０が設置してある。そして、後述する権利中に、入賞回転体９５を介して始動口（図示略）に入賞すると、大入賞口９０は開成して、多量の賞品球を払出すことを可能にする。
尚、この遊技機には、球供給皿２、その下に球貯留皿３、発射ハンドル４等を備え、遊技球を遊技領域に打球してゲームを行い、入賞すると賞品球が払い出され、入賞しない球はアウト口５から排出される。
【０００９】
次に、前記入賞装置２０について図２〜図５を参照して説明すると、入賞装置２０の頂部に設けてある開閉爪２１は、遊技盤８の表面から前方に突出した位置に設けてあり、遊技球が前記作動口７に入賞すると、例えば、２秒間、開成状態を維持する。この開閉爪２１は、図３（Ａ）（Ｂ）に示すように、電磁ソレノイド２２のプランジャー２２ａの往復動によって、固定回動軸２３において回動するレバー２４ａ、開閉爪２１に連結の連結棒２４ｂを介して、固定回動軸２１ａにおいて開閉動作をする。即ち、電磁ソレノイド２２が「ＯＦＦ（非励磁）」のときには、バネ２２ｂの反発力によって、プランジャー２２ａが往動状態を維持し、レバー２４ａ、連結棒２４ｂを介して、開閉爪２１は閉状態を維持する（図３（Ａ））。
【００１０】
一方、電磁ソレノイド２２が「ＯＮ（励磁）」のときには、バネ２２ｂを圧縮し、プランジャー２２ａが復状態を維持し、レバー２４ａ、連結棒２４ｂを介して、開閉爪２１は開状態となる（図３（Ｂ））。
尚、開閉爪２１の下部には、遊技球を検出する特定入賞検出器（近接スイッチ式等）２５が流下路２６に設置してあり遊技球を検出する。そして、その遊技球は、流下路２６を落球して振分回転体３０に案内される。
【００１１】
前記開閉爪２１の下部には、図４（（Ａ）（正面図）、（Ｂ）（側断面図））に示すように、６個の凹状の受入部３１を形成し、常時、ステッピングモータ３２によって回転する円盤状の振分回転体３０が配置してある。
そして、その受入部３１のうち、１個の受入部（Ｖ受入部３１ａ）は、排出孔３３から排出できない深さの凹部であり、Ｖ受入部３１ａに入った遊技球は後述する振分装置５０に案内されるが、他の５個の受入部３１ｂに入った遊技球は、振分回転体３０の裏面側に形成の排出孔３３から排出されて、入賞球（所定数の賞品球の払出を行う）として取り扱う。従って、振分回転体３０を経て振分装置５０に案内される遊技球は、確率１／６である。
尚、前記振分回転体３０は時計方向に、所定時間をかけて１回転し、この回転する振分回転体３０が円盤状であるので、回転中であっても、遊技球を噛むことなく円滑に受入部３１に受け入れることができる。
【００１２】
前記振分回転体３０の下部には、振分回転体３０からの遊技球を案内路３８を介して受け入れる振分装置５０が設置してあり、この振分装置５０は、ケース体５１に、上から阻止体６０、第１誘導体７０及び第２誘導体８０を装着して構成してある。
尚、入賞装置２０に設けてある開閉爪２１と振分回転体３０は、遊技盤８の表面から前方に突出した状態で形成してあるが、ケース体５１の前面は遊技盤８の表面と同じ高さに形成してある。そして、この振分装置５０の前面に空間５８を形成し、遊技球が転動可能に、下部において前傾斜部５９を形成して、振分装置５０の前面の有効利用を図っている。
【００１３】
ケース体５１は合成樹脂等で製作の箱状であり、このケース体５１の中央には、前記振分回転体３０から案内路３８を介して落球する遊技球を受け入れる誘導路５２が垂直方向に形成してあると共に、この誘導路５２に臨むことが可能に、水平方向に、上から阻止体６０、第１誘導体７０、第２誘導体８０の誘導片６２、７２、８２を装着可能なスライド孔６０ａ、７０ａ、８０ａが形成してあり、このケース体５１には表蓋５１ａが取り付けてある。
又、前記阻止体６０の下部には、前記誘導路５２を流下する遊技球が通過すると検出する判定検出器（近接スイッチ形式）４９が取り付けてあると共に、第１誘導体７０及び第２誘導体８０の下部には、前記誘導路５２に対応する位置に設けてある普通領域５３ａに普通検出器５８ａが、その普通領域５３ａの右側に形成の特定領域５３ｂには特定検出器５８ｂが取り付けてある。
【００１４】
阻止体６０は、バネ６５とストッパー片６６と誘導片６２で構成してあり、この誘導片６２は電磁ソレノイド６１のプランジャーと連結して往復動可能で、常時は、バネ６５によってストッパー片６６がケース体５１に当接する位置にセットされる。また、このストッパー片６６には、ガイド体６６ａが垂設してあり、ガイド溝６６ｂに挿入してある。
又、この誘導片６２には、前記誘導路５２に対応したとき、遊技球を下に落球可能な開口６３が周囲にガイド片６７ａ、６７ｂを介して形成してあると共に、その開口６３の右側に位置し、その開口６３に向けて下り傾斜の受体６４が設けてある。
【００１５】
又、前記誘導片６２と一対で往復動する排出案内体６８（図９参照）が設けてあり、この排出案内体６８は、前記受体６４が前記誘導路５２に対応したとき、前記誘導路５２の左側で、且つ、誘導片６２の下部に設けてある排出口６９と導通し、その受体６４で受け止めた遊技球が開口６３に向けて転動して、前記排出口６９から排出する。
又、ケース体５１に取り付けの表蓋５１ａには、前記電磁ソレノイド６１が故障したときに備えて、プランジャーに対応する長さの点検操作孔６８ａが穿設してあり、この点検操作孔６８ａを介して電磁ソレノイド６１のプランジャーを操作できる。
尚、常時は、電磁ソレノイド６１が「ＯＦＦ（非励磁）」であるので、阻止体６０の開口６３は、前記誘導路５２に対応し、振分回転体３０からの遊技球を流下させて、判定検出器４９で検出可能である（第１状態）。
【００１６】
第１誘導体７０は、バネ７５とストッパー片７６と誘導片７２で構成してあり、この誘導片７２は電磁ソレノイド７１のプランジャーと連結して往復動可能で、常時は、バネ７５によってストッパー片７６がケース体５１に当接する位置にセットされる。また、このストッパー片７６には、ガイド体７６ａが垂設してあり、ガイド溝７６ｂに挿入してある。
この誘導片７２には開口７３が形成してあり、この開口７３は前記誘導路５２に対応して遊技球を受け入れたとき、その遊技球を落球可能に形成してある。又、その開口７３の左側には、ケース体５１の後ろ側に形成の排出口７９に向けて下り傾斜の受体７４が形成してあり、この受体７４が前記誘導路５２に対応して遊技球を受け止めたとき、その遊技球を排出口７９に排出する。
【００１７】
又、ケース体５１に取り付けの表蓋５１ａには、前記電磁ソレノイド７１が故障したときに備えて、プランジャーに対応する長さの点検操作孔７８が穿設してあり、この点検操作孔７８を介して電磁ソレノイド７１のプランジャーを操作できる。
尚、常時は、電磁ソレノイド７１が「ＯＦＦ（非励磁）」であるので、第１誘導体７０の開口７３は前記誘導路５２に対応していて、前記阻止体６０の開口６３からの遊技球は後述の第２誘導体８０の受体８４によって停留する（第１状態）と共に、前記排出口７９は閉状態である。
【００１８】
又、第２誘導体８０は、バネ８５とストッパー片８６と誘導片８２で構成してあり、この誘導片８２は電磁ソレノイド８１のプランジャーと連結して往復動可能で、常時は、バネ８５によってストッパー片８６がケース体５１に当接する位置にセットされ、この誘導片８２は前記誘導路５２に対応したとき、遊技球を受け止めるコ字状の受体８４が形成してある。また、前記ストッパー片８６には、ガイド体８６ａが垂設してあり、ガイド溝８６ｂに挿入してある。
又、ケース体５１に取り付けの表蓋５１ａには、前記電磁ソレノイド８１が故障したときに備えて、プランジャーに対応する長さの点検操作孔８８が穿設してあり、この点検操作孔８８を介して電磁ソレノイド８１のプランジャーを操作できる。
尚、常時は、電磁ソレノイド８１が「ＯＦＦ（非励磁）」であるので、第２誘導体８０の受体８４は第１誘導体７０の開口７３に遊技球を停留可能に保持状態である（第１状態）。
【００１９】
次に、前記構成の遊技機において、遊技者に不利にならない構成について、図７、図８の概念を示す制御フローを参照して説明する。
先ず、遊技球が作動口７に入賞したか否かを判断し（Ｓ１０）、入賞していないときにはこの処理を終了する。
一方、遊技球が作動口７に入賞したときには、タイマｔを初期化し（Ｓ１１）、計数する（Ｓ１１、Ｓ１２）。このタイマｔは、電磁ソレノイド２２を介して、開閉爪２１を開成している時間であり、例えば、２秒以上経過したときには、ステップ１９に進んで、開閉爪２１を閉成する（Ｓ１３）。
【００２０】
次に、開閉爪２１を開成すると共に（Ｓ１４）、カウンタｃの初期化を行う（Ｓ１５）。そして、遊技球が入賞して特定入賞検出器２５で検出したか否かを検出し（Ｓ１６）、この特定入賞検出器２５によって検出する遊技球は計数され（Ｓ１７）、４個になると、開閉爪２１の開成状態が２秒間に到らないにも拘らず、開閉爪２１を閉成する（Ｓ１８、Ｓ１９）。
【００２１】
前記開閉爪２１が開成中の遊技球は、振分回転体３０の受入部３１（３１ａ、３１ｂ）に入り、Ｖ受入部３１ａに入った遊技球のみが、振分装置５０に案内される。
尚、遊技者は、通常時において、遊技球を作動口７に入賞させることを試みると共に、開成中の開閉爪２１に、多くの遊技球を入賞させようとするので、振分回転体３０のＶ受入部３１ａに入った遊技球は、判定検出器４９に案内され、「当たり」か否かの抽選回数が増加する。
そこで、これらの全ての遊技球に対して、抽選を実施すると、当たりとなった後に、再度、当たりとなることが生じ、権利が発生した後の僅かな時間後に、遊技球が特定領域に案内されて権利が消滅する。
【００２２】
そこで、本発明は、係る事態をできるだけ避けるために、阻止体６０、第１誘導体７０及び第２誘導体８０で構成の振分装置５０が設けてある。
これらの阻止体６０の電磁ソレノイド６１、第１誘導体７０の電磁ソレノイド７１及び第２誘導体８０の電磁ソレノイド８１は、常時は「ＯＦＦ」であるので（全てが第１状態）、前記振分回転体３０のＶ受入部３１ａに入った遊技球Ｙａは、阻止体６０の開口６３を流下して、判定検出器４９で検出すると共に第２誘導体８０の受体８４で保持されて第１誘導体７０の開口７３に停留される（図９（Ａ））。
【００２３】
前記判定検出器４９が遊技球Ｙａを検出すると、阻止体６０の電磁ソレノイド６１が「ＯＮ（励磁）」に替り（Ｓ２７）、受体６４が誘導路５２に対応して、その後の振分回転体３０のＶ受入部３１ａに入った遊技球Ｙｂは受体６４で受け止めて、ケース体５１の後部に形成の排出口６９から排出する（第２状態）（図９（Ｂ））。
従って、判定検出器４９が、遊技球Ｙａを検出した後に、即座に、次の遊技球Ｙｂを検出することを防止する。
そして、前記判定検出器４９が遊技球を検出したことに伴って抽選を行う（Ｓ２８）。
【００２４】
この抽選手段は、よく知られているように、例えば、０〜９の循環カウンタ（２ｍｓ毎に１加算する）をソフトウエアで作成し、前記判定検出器４９で遊技球が検出されたとき、その循環カウンタの値が、例えば、「７（確率１／１０）」であるとき、当たりとする。
そして、当たりか否かの判定を実施した後に、図柄表示器１１には、数字０〜９の図柄を変動表示した後に確定表示する。例えば、当たりの確定表示が「７、７」であるときには、先ず、左の桁に、所定時間後に「７」を、その後、右桁に「７」を停止表示する（Ｓ２９）。尚、外れのときには、図柄表示器１１には左右が異なる図柄が表示される。
【００２５】
そして、前記抽選によって、当たりであるときには、第１誘導体７０の電磁ソレノイド７１を「ＯＮ（励磁）」にすることによって、受体８４で保持され開口７３に停留の遊技球Ｙａは、特定領域５３ｂ側に案内され（第２状態）、特定検出器５８ｂで検出されて「権利」が発生する（Ｓ３１、Ｓ３２）（図９（Ｃ））。その後、第１誘導体７０の電磁ソレノイド７１を「ＯＦＦ」にして、元の状態に戻す（第１状態）。尚、前記権利が発生し、その後、この権利が消滅するまで、入賞装置２０の右部に設置の球受け部９５ａを介して始動口（図示略）に入賞すると、大入賞口９０が所定時間或いは所定の入賞個数になるまで開成することを、予め設定回数繰返して多量の賞品球の払出を可能にする。
反対に、当たりでないときには、第２誘導体８０の電磁ソレノイド８１を「ＯＮ（励磁）」にして、第２誘導体８０の受体８４を左に移動させて遊技球Ｙａの保持を止めて（第２状態）、遊技球Ｙａは普通領域５３ａに案内して、普通検出器５８ａで検出することによって「入賞球」として扱う（Ｓ３３、Ｓ３４）（図９（Ｄ））。その後、第２誘導体８０の電磁ソレノイド８１を「ＯＦＦ」にして、元の状態に戻す（第１状態）。
尚、前記検出器５８ａ、５８ｂで遊技球を検出すると、阻止体６０の電磁ソレノイド６１を「ＯＦＦ」にして、元の状態に戻す（第１状態）。
【００２６】
以上のように、振分回転体３０のＶ受入部３１ａに入った遊技球は、判定検出器４９で検出されると共に、阻止体６０によって、それ以後の遊技球を判定検出器４９に案内しないで排出口６９に案内し、当たりの判定結果によって、第１誘導体７０及び第２誘導体８０を介して、普通領域５３ａ又は特定領域５３ｂに案内する。
【００２７】
次に、阻止部材６０は判定検出器４９で遊技球を検出すると、図９（Ｂ）に示すように、阻止体６０の電磁ソレノイド６１が「ＯＮ」に替るが、この電磁ソレノイド６１が故障したとき、或いは作動が遅れたとには、図１０（Ａ）に示すように、連続した遊技球Ｙａ、Ｙｂが、第２誘導体８０の受体８４で受け止められる状態となり、この場合の処置について説明する。
判定検出器４９が遊技球Ｙａを検出すると、抽選が実行され、当たりであるときには、第１誘導体７０の電磁ソレノイド７１を「ＯＮ」にすることによって、受体８４で保持され開口７３に停留の遊技球Ｙａは、特定領域５３ｂ側に案内され、特定検出器５８ｂで検出されて「権利」が発生する。
【００２８】
一方、遊技球Ｙｂは、前記第１誘導体７０のスライドに伴って、受体７４で保持され、排出口７９から排出される（図１０（Ｂ））。即ち、遊技球Ｙｂは、受体７４を介して排出口７９から排出されるので、普通領域５８ａを介して排出する必要がないので、第２誘導体８０を作動させることなく処理できる。
その結果、次の遊技球Ｙｂが判定検出器４９で検出されるが、抽選を実施することがないようにソフトウエアを作成してある。従って、権利が発生した後、短時間に、再度、特定領域に入賞させることを防止することができる。
又、この第１誘導体７０の電磁ソレノイド７１が「ＯＮ」を維持し、「ＯＦＦ」にならない等の故障が生じたときには、次の遊技球は受体７４を介して排出口７９から排出されるので支障がない。
【００２９】
又、抽選結果が、外れであるときには、第２誘導体８０の電磁ソレノイド８１を「ＯＮ」にすることによって、第２誘導体８０の受体８４は左に移動して、受け止めていた遊技球Ｙａ、Ｙｂは普通領域５３ａに案内されて、普通検出器５８ａで検出することによって「入賞球」として扱う（図１０（Ｃ））。
以上のように、連続した遊技球Ｙａ、Ｙｂが、第２誘導体８０の受体８４で受け止められた場合であっても、抽選結果が当たりのときには、第１誘導体７０の電磁ソレノイド７１を「ＯＮ」に、外れのときには第２誘導体８０の電磁ソレノイド８１を「ＯＮ」にすることによって、連続して特定領域５３ｂに入賞することを防止できる。
【００３０】
尚、前記構成の遊技機は、権利中に、判定検出器４９によって遊技球が検出され、抽選の結果、当たりとなり、特定領域５３ｂに入賞すると、「権利」が消滅するが、多くの遊技者は、権利が成立したときには、入賞回転体９５を狙って打球するので不利益を被らないと推定できる。
しかし、係る不利益に対する対策として、権利中（特定検出器５８ｂで遊技球を検出して権利が発生してから、権利が消滅する迄）においては、抽選を行わないように構成したり（例えば、ステップ２６で判定検出器４９が検出してもリターンに進む）、抽選は行うが「当たり」を発生しないように構成したり、或いは、例え、抽選を行って当たりが生じたとしても、必ず、第２誘導体８０の電磁ソレノイド８１を「ＯＮ」にして、遊技球を普通領域５３ａに案内するように構成したり（ステップ３０において、必ず、ステップ３３を実行する）。
更には、権利中においては、所定時間が経過するまで、遊技球を判定検出器４９で検出不可とする構成にして、早期に権利消滅するのを防止する構成を付加してもよい。
又、この遊技機に付設の入賞装置や、それを構成する部品等は、適宜選定して他の形式の遊技機に適用できることは言うまでもない。
【００３１】
【発明の効果】
請求項１の遊技機は、阻止体、判定検出器、第１誘導体及び第２誘導体を介して、遊技球を特定領域５３ｂ又は普通領域５３ａに案内することができる。
又、請求項２の遊技機は、第１誘導体７０と第２誘導体８０を第１状態と第２状態に変更するのに、スライドによって可能であるので、簡便に変更できる。
請求項３の遊技機は、当たりのときには第１誘導体７０によって遊技球を特定領域５３ｂに、外れのときには第２誘導体８０を第２状態にすることによって遊技球を普通領域５３ａに、容易に案内することができる。
請求項４の遊技機は、判定検出器４９で最初の遊技球Ｙａを検出すると、阻止体６０を第２状態にすることによって、次の遊技球Ｙｂを判定検出器４９に案内しないで、排出口６９から排出可能であるので、当たりを連続して生起することを防止できる。
請求項５の遊技機は、連続する遊技球Ｙａ、Ｙｂに対して、抽選結果が当たりであっても、次の遊技球Ｙｂは排出口７９から排出されるので、当たりを連続して生起することを防止できる。
請求項６の遊技機は、連続する遊技球Ｙａ、Ｙｂに対して、抽選結果が外れであるときには、第２誘導体８０を第２状態に変更することで、何れも普通領域５３ａに円滑に案内できる。
【図面の簡単な説明】
【図１】遊技機の正面図である。
【図２】（Ａ）は入賞装置の正面図、（Ｂ）はＡ〜Ａ断面図である。
【図３】（Ａ）は開閉爪が閉成時の正面図と側断面図、（Ｂ）は開閉爪が開成時の正面図と側断面図である。
【図４】（Ａ）（Ｂ）は振分回転体の正面図と側断面図である。
【図５】振分け装置の斜視図である。
【図６】（Ａ）は阻止体、（Ｂ）は第１誘導体、（Ｃ）は第２誘導体の図である。
【図７】制御フロー図である。
【図８】制御フロー図である。
【図９】（Ａ）（Ｂ）（Ｃ）（Ｄ）は振分装置の作用を説明する図である。
【図１０】（Ａ）（Ｂ）（Ｃ）は振分装置の作用を説明する図である。
【符号の説明】
７  作動口
８  遊技盤
２０  入賞装置
３０  振分回転体
４９  判定検出器
５０  振分装置
５３ａ  普通領域
５３ｂ  特定領域
６０  阻止体
７０  第１誘導体
８０  第２誘導体
【図１】
0003565185.tif 000002
【図２】
0003565185.tif 000003
【図３】
0003565185.tif 000004
【図４】
0003565185.tif 000005
【図５】
0003565185.tif 000006
【図６】
0003565185.tif 000007
【図７】
0003565185.tif 000008
【図８】
0003565185.tif 000009
【図９】
0003565185.tif 000010
【図１０】
0003565185.tif 000011